(57)【要約】【課題】コストを上昇させることなく、筐体から漏れる風切音を低減することができる光ディスク装置を提供する。【解決手段】トップケース１０とボトムケース２０とによって略箱形の筐体を構成する光ディスク装置であって、前記トップケースは、その一辺に前記ボトムケースと係合するフックを備え、前記ボトムケースは、前記フック１１Ａと係合する切り欠き２３が設けられた係合部を備え、前記切り欠きの内側に、前記切り欠きを通過する空気の流通を妨げる遮蔽部２５を設けた。【選択図】図２
2010102787.tif 000002
【特許請求の範囲】
【請求項１】
トップケースとボトムケースとによって略箱形の筐体を構成する光ディスク装置であって、
前記トップケースは、その一辺に前記ボトムケースと係合するフックを備え、
前記ボトムケースは、前記フックと係合する切り欠きが設けられた係合部を備え、
前記切り欠きの内側に、前記切り欠きを通過する空気の流通を妨げる遮蔽部を設けたことを特徴とする光ディスク装置。
【請求項２】
前記ボトムケースは、金属薄板による底面と、前記金属薄板を略直角に曲げた側面とを含み、
前記底面と前記側面とによって形成される辺上に、前記底面の一部と前記側面の一部とを切除することによって、前記切り欠きが設けられ、
前記遮蔽部は、前記底面に絞り加工をすることによって形成されることを特徴とする請求項１に記載の光ディスク装置。
【請求項３】
前記フックは、前記側面の切断面と係合することを特徴とする請求項２に記載の光ディスク装置。
【請求項４】
前記筐体は、略箱形の本体部と、前記本体部より薄厚で、前記本体部から張り出したウイング部とによって構成され、
前記係合部は、前記ウイング部に設けられることを特徴とすることを特徴とする請求項１から３のいずれか一つに記載の光ディスク装置。
【請求項５】
前記光ディスク装置は、光ディスクが装着されるトレーが取り付けられるフロントパネルを、筐体の正面側に備え、
前記トップケースは、その一辺に前記ボトムケースと係合する二つのフックを備え、
前記ボトムケースは、前記各フックと係合する切り欠きが設けられた二つの係合部を備え、
前記遮蔽部は、前記ウイング部の背面側の係合部に設けられることを特徴とする請求項４に記載の光ディスク装置。
【発明の詳細な説明】
【技術分野】
【０００１】
本発明は、光ディスク装置に関し、特に、遮音性を向上させた筐体の構造に関する。
【背景技術】
【０００２】
ＣＤ、ＤＶＤ、ＢＤ等の光ディスクに情報を読み書きする光ディスク装置は、光ディスク装置が装着されるコンピュータの小型化に伴い、薄型化している。このため、光ディスク装置の内部で回転するディスクの風切音が、光ディスク装置の外部に漏れやすいという問題がある。
【０００３】
この問題を解決するために、光ディスクの回転に伴って発生する光ディスクの半径方向の空気流をケース外部に漏出する通路に、該漏出を阻止するカバー部材を設けた光ディスク装置が提案されている（例えば、特許文献１参照。）。
【特許文献１】特開２００３−３６６６４号公報
【発明の開示】
【発明が解決しようとする課題】
【０００４】
前述したように、従来の光ディスク装置では、回転するディスクによって生じる風切音が、光ディスク装置の外部に漏れやすい。特に、厚さが１２．７ｍｍや、９．５ｍｍのいわゆるスリムドライブでは、本体部より薄厚のウイング部にもディスクが収容されているので、回転するディスクとボトムケースとの距離が近く、ディスクの回転によって生じる風切音が筐体の外部に漏れやすい。
【０００５】
前述したスリムドライブでは、ウイング部にボトムケースとトップケースを係合する係合部が設けられており、係合部のトップケースにはフックを係合するための穴が空けられている。この係合部はディスクに近い位置に設けられていることから、係合部の穴から風切音が漏れやすい。このため、この係合部からの風切音の漏れを低減することが求められている。
【０００６】
また、前述した特許文献１では、風切音の漏出を防止するカバー部材を別部材としたので、遮音性の向上が光ディスク装置のコスト上昇要因となっている。そこで、別部材を用いることなく、ケースからの風切音の漏出を防止するケースが求められている。
【０００７】
本発明は、コストを上昇させることなく、筐体から漏れる風切音を低減することができる光ディスク装置を提供することを目的とする。
【課題を解決するための手段】
【０００８】
本発明の代表的な一例を示せば以下の通りである。すなわち、トップケースとボトムケースとによって略箱形の筐体を構成する光ディスク装置であって、前記トップケースは、その一辺に前記ボトムケースと係合するフックを備え、前記ボトムケースは、前記フックと係合する切り欠きが設けられた係合部を備え、前記切り欠きの内側に、前記切り欠きを通過する空気の流通を妨げる遮蔽部を設けたことを特徴とする。
【発明の効果】
【０００９】
本発明の実施の形態によると、筐体の製造コストを上昇させることなく、筐体から漏れる風切音を低減することができる。
【発明を実施するための最良の形態】
【００１０】
図１は、本発明の実施の形態の光ディスク装置の外観を示す斜視図である。
【００１１】
本実施の形態の光ディスク装置は、トップケース１０及びボトムケース２０によって略箱形の筐体を構成する。
【００１２】
図１に示す筐体は、厚さが厚い本体部３１と、本体部より薄厚なウイング部３２とに分けられる、いわゆるスリムケースである。また、筐体の正面側（フロント側）には、フロントパネル３０が取り付けられている。フロントパネル３０は、ディスクを装着するトレーに取り付けられている。トレーは筐体内をスライドして、装着されたディスクを出し入れする。すなわち、トレーが筐体内に収納された場合、フロントパネル３０は筐体に当接する。
【００１３】
トップケース１０は、ウィング側（図１の左側）に、フック１１Ａ、１１Ｂが設けられている。フック１１Ａ、１１Ｂは、ボトムケース２０の切り欠き２３と係合する。トップケース１０とボトムケース２０とは、フック１１Ａ、１１Ｂの反対側（図１の右側）では、ネジ止めによって固定される。
【００１４】
フック１１Ａと係合する切り欠き２３（背面側の切り欠き２３）には、後述する遮蔽部２５（図２参照）が設けられる。なお、フック１１Ｂと係合する切り欠き２３（正面側の切り欠き２３）には、遮蔽部２５を設けなくてもよい。これは、フック１１Ｂと係合する切り欠き２３はディスクから遠いことから、遮蔽部２５を設けることによる風切音を低減する効果が小さいからである。また、フロント側の切り欠き２３に遮蔽部２５を設けると、筐体を出入りするトレーと干渉するおそれがあるからである。
【００１５】
図２は、本発明の実施の形態の光ディスク装置のリア側の係合部を示す斜視図である。
【００１６】
トップケース１０のフック１１Ａと係合するボトムケース２０の係合部は、切り欠き２３、遮蔽部２５によって構成される。
【００１７】
ボトムケース２０は、金属薄板による底面２１と、金属薄板を底面２１と略直角に曲げた側面２２とによって構成される。そして、底面２１と側面２２とによって形成される辺上に、底面２１から側面２２にかけての一部を切除することによって、切り欠き２３を形成する。フック１１Ａは、切り欠き２３において、側面２２の切断面２４と当接して、光ディスク装置の筐体の高さを規定する（図４参照）。このように、フック１１Ａを側面２２の切断面２３に当接させることによって、フック１１Ａを金属板を曲げて構成された面に当接させる場合と比較し、筐体の高さの誤差を抑制することができる。これは、切り欠き２３において、側面２２の端部を金属板を折り曲げて形成するより、側面２２の切断面によって形成する方が側面２２の係合位置の高さ寸法の精度が高くなるからである。
【００１８】
切り欠き２３の、底面２１の内側には、底面２１と平行な面を有する遮蔽部２５が設けられる。遮蔽部２５の平面は、トップケース１０とボトムケース２０とを組み付けたときに、フック１１Ａと干渉しないように、切断面２３より内側に設けられる。遮蔽部２５は、底面２１に絞り加工をすることによって、底面２１の内側に形成されるとよい。遮蔽部２５を絞り加工で形成することによって、遮蔽部２５の３辺が底面２１と繋がり、ボトムケース２０の隙間は、遮蔽部２５の外側の面と側面２２とのわずかな隙間２６（図４参照）のみとなる。
【００１９】
切り欠き２３は、フック１１と係合するためにボトムケース２０に穴を開けることによって形成されているところ、この穴を通過する空気によって、ディスクの風切音が筐体の外部に漏れる。しかし、本実施の形態によれば、切り欠き２３に空気の流通を妨げる遮蔽部２５を設けたので、切り欠き２３を通過する空気（音）が減少し、筐体の外部に漏れる風切音を減らすことができる。
【００２０】
また、遮蔽部２５を絞り加工で形成することによって、切り欠き２３の隙間が小さくなることから、筐体の外部に漏れる風切音をさらに低減することができる。
【００２１】
遮蔽部２５は、絞り加工ではなく、曲げ加工によっても形成することができる。この場合、遮蔽部２５は、その１辺を底面２１と繋げられ、他の２辺において遮蔽部２５と底面２１との間には切り込みが設けられる。
【００２２】
図３は、本発明の実施の形態の光ディスク装置のリア側の係合部の係合状態を示す斜視図である。
【００２３】
トップケース１０とボトムケース２０とが組み付けられた状態では、フック１１Ａが切込２３に係合している。切り欠き２３の内側の遮蔽部２５によって、フック１１Ａの周囲の空隙の大部分は塞がれている。
【００２４】
図４は、本発明の実施の形態の光ディスク装置の係合部を示す断面図である。
【００２５】
ボトムケース２０の底面２１と側面２２とにが交わる部分によって構成される辺には切り欠き２３が設けられる。切り欠き２３の内側に設けられる遮蔽部２５は、底面２１の内側に底面２１と平行に設けられる。なお、遮蔽部２５は、側面２２の切断面２４より内側に設けられるため、フック１１Ａは切断面２４と当接するが、遮蔽部２５とは当接しない。
【００２６】
遮蔽部２５を設けたため、トップケース１０とボトムケース２０との間の隙間は、遮蔽部２５とボトムケース２０の側面２２との間の隙間２６だけになる。よって、切り欠き２３全体が隙間となる従来例と比べ、トップケース１０とボトムケース２０との間の隙間が小さくなり、筐体の遮音性を向上することができる。
【００２７】
以上説明したように、本発明の実施の形態によると、遮蔽部を絞り加工で形成したので筐体の製造コストを上昇させることなく、筐体から漏れる風切音を低減することができる。例えば、ディスクの回転数が５２００ｒｐｍであるとき、遮蔽部２５を設けない場合と比べて、風切音を０．５ｄＢ低減することができる。
【００２８】
また、筐体の隙間が小さくなるので、光ディスク装置から漏れる電磁波を低減することができる。
【図面の簡単な説明】
【００２９】
【図１】本発明の実施の形態の光ディスク装置の外観を示す斜視図である。
【図２】本発明の実施の形態の光ディスク装置の係合部を示す斜視図である。
【図３】本発明の実施の形態の光ディスク装置の係合部の係合状態を示す斜視図である。
【図４】本発明の実施の形態の光ディスク装置の係合部を示す断面図である。
【符号の説明】
【００３０】
１０  トップケース
１１Ａ、１１Ｂ  フック
２０  ボトムケース
２１  底面
２２  側面
２３  切り欠き
２４  切断面
２５  遮蔽部
２６  隙間
３０  フロントパネル
３１  本体部
３２  ウイング部
【図１】
2010102787.tif 000003
【図２】
2010102787.tif 000004
【図３】
2010102787.tif 000005
【図４】
2010102787.tif 000006